(57)【要約】      （修正有）【課題】曲面・立体面・凹凸面・段差面・異形面・平面の画像・文字・形状・写真等を数方向角度や遠方から目視あるいはレンズを通して、曲面・立体面・凹凸面・段差面・異形面・平面の画像等の一部または全体を立体・飛び出す・起き上がる等の立体認識画像を提供する。【解決手段】曲面・立体面・凹凸面・段差面・異形面・平面の画像・文字・形状・写真等に影を付加し、その付加された影を含む曲面・立体面・凹凸面・段差面・異形面・平面画像・文字・形状・写真等の周囲の一部又は全周を数方向の角度や遠方から目視あるいはレンズを通して、曲面・立体面・凹凸面・段差面・異形面・平面の画像等の一部または全体が立体・飛び出す・起き上がる等の立体認識画像になるように、はさみ等の道具や各種ソフトウエアー等で切り取り使用する。【選択図】図３
2018076773.tif 000002
【特許請求の範囲】
【請求項１】
立体認識対象物と影
及び背景部分を
撮影した写真から、
立体認識対象物
及び影が切り取られた、
平面画像の立体認識画像を有する又は含む製品。
【請求項２】
立体認識対象物と影
及び背景部分を
撮影した写真から、
立体認識対象物
及び影が切り取られた、
平面画像の立体認識画像を有する又は含むシート。
【請求項３】
立体認識対象物と影
及び背景部分を
撮影した写真から、
立体認識対象物
及び影が切り取られた、
平面画像の立体認識画像を有する又は含む製品
又は
立体認識対象物と影
及び背景部分を
撮影した写真から、
立体認識対象物
及び影が切り取られた、
平面画像の立体認識画像を有する又は含むシート
を有する又は含む部材。
【発明の詳細な説明】
【技術分野】
【０００１】  本発明は、曲面・立体面・凹凸面・段差面・異形面・平面上に文字・絵・画像等を描く・表示等したものが立体に見える・起き上がって見える・３Ｄに見えるように曲面・立体面・凹凸面・段差面・異形面・平面画像を立体認識させる加工方法及び製品に関する。
【背景技術】
【０００２】  現在、パソコンソフトで物体や文字に影をつけ立体に見せる方法があり、それを利用、応用した立体画像や空中に浮いたように見せる方法やＮＨＫ天気予報影付き日本地図等もあるが、それらを平面上あるいは立体面上においた場合や角度・距離を置いて見た場合には画像が立体又は起き上がっては見えない。【０００３】  レンチキラーレンズ等を用いて平面画像が立体に見える・飛び出して見える等の方法や製品もあるが、長時間目視による疲労や錯覚及び見る角度により正確性に欠ける。【０００４】  だまし絵等もあるが、カメラレンズ等を通してあたかも立体に見えるのであって、裸眼では立体・飛び出す・起き上がる等の画像等は見ることができない。【０００５】  ３Ｄテレビや映画のように専用メガネをかけて画面や画像が立体・飛び出す・起き上がる等に見せる工夫もあるが、実際の平面上画像等では専用メガネ無しでの画像が立体・飛び出す・起き上がる等に見せることができないか、専用メガネ使用による用法が考えられている。【０００６】  特許公開２０１２−８３６８７号公報は解決手段に記載のごとく、裸眼３Ｄディスプレー正面に水の入った水槽を置くことで、レンズ効果が生まれ・・・より見やすい画質で鑑賞することができるものである。【０００７】  特許公開２００１−２９０４３２号公報は解決手段に記載のごとく、板体の表面に立体像を再現する立体印刷帯を設け・・・肖像写真を見る者に対して・・・凹凸感のない平面画像である肖像写真に大きな存在感を確保することを可能にするものである。【０００８】  特開平１０−２３９６３５号公報は課題に記載のごとく、片目で覗くにもかかわらず、あたかも小さな空中体の内部空間に三次元立体画像が・・・疑似立体覗玩具を提供するものである。【０００９】  特許公開２００９−２５５８１号公報はレンチキラーレンズに立体画像を印刷させる方法である。【００１０】  特開平８−３２９２７５号公報は目的に記載のごとく、２枚の視差のある画像を並べて表示する立体画像表示プログラムにおいて、立体視しながら、他の画像を表示する等の操作を行うことである。【００１１】  特許公開２００１−２７０３００号公報は目的に記載のごとく、金属板の表面に立体に見えるようにヘアーラインを描くための立体ヘアーライン成形方法とその装置を提供することである。【００１２】  特許公開２００２−２９１９８号公報は従来の転写箔に立体感のある意匠効果を得られるようにしたものである。【００１３】  特許公開２００３−１４００８６号公報はメガネ無し立体映像表示装置である。【００１４】  特許公開２０１４−１５１４４４号公報は課題に記載のごとく、光源に対して画像形成体を傾けて・・・安価に製造可能な画像形成体及びその作成方法に関するものである。【００１５】  特許公開２０１３−１９３４３４号公報は課題に記載のごとく、形成画像面に立体画像のように高低差のある画像や油絵・・・記録媒体の反りを防止する印刷物、印刷方法、及び、画像形成装置を提供するものである。
【先行技術文献】
【特許文献】
【００１６】
【特許文献１】特許公開２０１２−８３６８７号公報
【特許文献２】特許公開２００１−２９０４３２号公報
【特許文献３】特開平１０−２３９６３５号公報
【特許文献４】特許公開２００９−２５５８１号公報
【特許文献５】特開平８−３２９２７５号公報
【特許文献６】特許公開２００１−２７０３００号公報
【特許文献７】特許公開２００２−２９１９８号公報
【特許文献８】特許公開２００３−１４００８６号公報
【特許文献９】特許公開２０１４−１５１４４４号公報
【特許文献１０】特許公開２０１３−１９３４３４号公報
【特許文献１１】パソコンソフト３Ｄ影作成及び作成された画像  ｈｔｔｐ：／／ｗｗｗ．ｄｏｕｇａｍａｎｕａｌ．ｃｏｍ／ｂｌｏｇ／１６４／９８２／ｅ４９１６．ｈｔｍｌ  ｈｔｔｐ：／／ｗｗｗ．ｖｅｃｔｏｒ．ｃｏ．ｊｐ／ｓｏｆｔ／ｗｉｎ９５／ａｒｔ／ｓｅ０５５３１５．ｈｔｍｌ  ｈｔｔｐ：／／ｗｗｗ．ｇｉｆｕ−ｎｅｔ．ｅｄ．ｊｐ／ｋｙｏｋａ／ｒｉｋａ／ｒｉｓｕ−ｔｅｂｉｋｉ／３２／６ｓｕｒｉｄ．ｐｄｆ  ｈｔｔｐｓ：／／ｗｗｗ．ｙｏｕｔｕｂｅ．ｃｏｍ／ｗａｔｃｈ？ｖ＝ｒＬｑｙ−ｖｙ９Ｌ２ｋ
【発明の概要】
【発明が解決しようとする課題】
【００１７】  従来の、レンチキラーレンズによる立体及び飛び出す画像、各種ソフトウエア３Ｄ影作成及び作成された画像、レンズを通して立体に見えるだまし絵、メガネをかけて３Ｄ映像を見る、立体感のある意匠効果を施した製品や部材、光源に対して画像形成体を傾ける、形成画像面に立体画像のように高低差のある画像や油絵を描く・印刷する等の方法で直接立体認識させることが難しいことを解決するために、曲面・立体面・凹凸面・段差面・異形面・平面の画像・文字・形状・写真等を数方向角度や遠方から目視あるいはレンズを通して、曲面・立体面・凹凸面・段差面・異形面・平面の画像等の一部または全体を立体・飛び出す・起き上がる等の立体認識画像にする。
【課題を解決するための手段】
【００１８】  上記目的を達成するために、曲面・立体面・凹凸面・段差面・異形面・平面の画像・文字・形状・写真等に影を付加し、その付加された影を含む曲面・立体面・凹凸面・段差面・異形面・平面画像・文字・形状・写真等の周囲の一部又は全周を方向角度や遠方から目視あるいはカメラレンズを通して、曲面・立体面・凹凸面・段差面・異形面・平面の画像等の一部または全体が立体・飛び出す・起き上がる等の立体認識画像になるように、はさみ等の適切な道具や各種ソフトウエアー等で切り取る。【００１９】  無論、曲面・立体面・凹凸面・段差面・異形面・平面の画像・文字・形状・写真等の周囲の一部又は全周に沿って余白無く切り取る必要はなく、曲面・立体面・凹凸面・段差面・異形面・平面の画像・文字・形状・写真等の一部又は全体が数方向角度や遠方から目視あるいはレンズを通して、立体・飛び出す・起き上がる等の認識画像になるように切り取り加工する。【００２０】  さらに、影を付加しただけの曲面・立体面・凹凸面・段差面・異形面・平面の画像・文字・形状・写真等をそのまま置く・印刷する等では上記目的を達成できないため、切り取り加工した曲面・立体面・凹凸面・段差面・異形面・平面の画像・文字・形状・写真等の一部又は全部を何段階に分けて、置く・上書き印刷する・組み合わせる・部材に貼り合わせる、影・曲面・立体面・凹凸面・段差面・異形面・平面画像・文字・形状・写真等をそれぞれ曲面・立体面・凹凸面・段差面・異形面・平面の画像・文字・形状・写真等の一部又は全体が数方向の角度や遠方から目視あるいはカメラレンズを通して、立体・飛び出す・起き上がる等の認識画像になるように組み合わせる。【００２１】  目的を達成するために、曲面・立体面・凹凸面・段差面・異形面・平面の画像・文字・形状・写真・表現作品の一部または全体・影・加える画像・文字・形状・写真・表現作品の一部または全体を立体認識画像になるように、縮小・拡大・変形・画質等加工する。【００２２】  また、曲面・立体面・凹凸面・段差面・異形面・平面の画像・文字・形状・写真・表現作品の一部または全体・影・加える画像・文字・形状・写真・表現作品の一部または全体を切り取り、立体物に加工し、その立体物を描写・写真等で曲面・立体面・凹凸面・段差面・異形面・平面画像にして使う。
【発明の効果】
【００２３】  例えばこの方法によってつくられた警察官や警備員の平面画像や製品を横断歩道や道路上・夜間店舗内に設置することで交通安全や盗難防止に効果が上がり、立体物でないためその上を通過しても危険でなく、また、侵入者の隠れ場所にもならない。
【図面の簡単な説明】
【００２４】
【図１】  影付き進入防止ポールを写真に撮った概略平面図。
【図２】  影付き進入防止ポールを立体・飛び出す・起き上がる等の認識画像になるように切り取った概略平面図。
【図３】  影付き進入防止ポールを立体・飛び出す・起き上がる等の認識画像になるように切り取り、横断歩道上に置いた概略平面図。
【図４】  数方向の角度や遠方から目視あるいはカメラレンズを通して、横断歩道上の進入防止ポール画像が起き上がり、立体に見えた概略平面図。
【発明を実施するための形態】
【００２５】  曲面・立体面・凹凸面・段差面・異形面・平面の画像・文字・形状・写真等に影を付加し、その付加された影を含む曲面・立体面・凹凸面・段差面・異形面・平面の画像・文字・形状・写真等の周囲の一部又は全周を数方向の角度や遠方から目視あるいはカメラレンズを通して、曲面・立体面・凹凸面・段差面・異形面・平面画像等の一部または全体が立体・飛び出す・起き上がる等の認識画像になるように切り取り加工する、立体・飛び出す・起き上がる等の認識画像になるように・上書き印刷する・組み合わせる・部材に貼り合わせる、影・曲面・立体面・凹凸面・段差面・異形面・平面画像・文字・形状・写真等をそれぞれ曲面・立体面・凹凸面・段差面・異形面・平面画像・文字・形状・写真等の一部又は切り取る、また、上記の方法を用いた製品や部材を使う。
【実施例】
【００２６】  図１のように影付き進入防止ポールを写真に撮り、図２のように影付き進入防止ポールを立体・飛び出す・起き上がる等の認識画像になるように切り取り、図３のように横断歩道上に置いたところ、図４のように数方向の角度や遠方から目視あるいはカメラレンズを通して、進入防止ポール画像が起き上がり、立体に見えた。
【産業上の利用可能性】
【００２７】  例えばこの方法によってつくられた警察官や警備員の平面画像や製品を横断歩道や道路上・夜間店舗内に設置することで交通安全や盗難防止に効果が上がり、立体物でないためその上を通過しても危険でなく、また、侵入者の隠れ場所にもならない。【００２８】  また、建設機材・舗装機材・紙用品・シート・粘着又は接着部材・プラスチック・ゴム・ガラス等多くの部材に応用・利用できる。
【符号の説明】
【００２９】１  影付き進入防止ポール写真・画像・絵。
２  進入防止ポール写真・画像。
３  進入防止ポール影写真・画像。
４  横断歩道。
５  多方向の角度や遠方から目視あるいはカメラレンズを通して、起き上がり、立体に見えた進入防止ポール写真・画像。
【図１】
2018076773.tif 000003
【図２】
2018076773.tif 000004
【図３】
2018076773.tif 000005
【図４】
2018076773.tif 000006